(57)【要約】【課題】耐圧性を確保しつつ、指掛かり性を向上できる、陽圧用の缶容器用の缶蓋を提供すること。【解決手段】缶蓋１は、円板状のパネル部１１と、パネル部１１の一方の主面に設けられたリベット２１と、パネル部１１の外周縁に沿って環状に設けられ、パネル部１１の一方の主面から他方の主面に向かって窪む環状の溝部１２と、リベット２１に隣接してパネル部１１に設けられたスコア線２２により構成され、スコア線２２が破断することで開口部を構成する開口片２７と、リベット２１に固定され、開口片２７上の一部に配置される押し下げ部１４ｂ及び押し下げ部１４ｂとリベット２１を挟んで反対側に設けられた指掛け部１４ａを有するタブ１４と、パネル部１１であって、指掛け部１４ａの下方に設けられた第１凹部２３と、パネル部１１であって、溝部１２及び第１凹部２３との間に設けられ、第１凹部２３よりも幅が狭い第２凹部２４と、を備える構成とする。【選択図】      図１
2017137078.tif 000002
【特許請求の範囲】
【請求項１】
円板状のパネル部と、
前記パネル部の一方の主面に設けられたリベットと、
前記パネル部の外周縁に沿って環状に設けられ、前記パネル部の一方の主面から前記パネル部の他方の主面に向かって窪む環状の溝部と、
前記リベットに隣接して前記パネル部に設けられたスコア線により構成され、前記スコア線が破断することで開口部を構成する開口片と、
前記リベットに固定され、前記開口片上の一部に配置される押し下げ部及び前記押し下げ部と前記リベットを挟んで反対側に設けられた指掛け部を有するタブと、
前記パネル部であって、且つ、前記指掛け部の下方に設けられた第１凹部と、
前記パネル部であって、且つ、前記溝部及び前記第１凹部との間に設けられ、前記第１凹部よりも幅が狭い第２凹部と、
を備えることを特徴とする缶蓋。
【請求項２】
前記第１凹部の前記パネル部の表面からの深さは、前記第２凹部の前記パネル部の表面からの深さよりも深く構成されることを特徴とする請求項１に記載の缶蓋。
【請求項３】
前記溝部の前記パネル部の表面からの深さは、前記第１凹部及び第２凹部の前記パネル部の表面からの深さよりも深く構成されることを特徴とする請求項２に記載の缶蓋。
【請求項４】
前記第１凹部は、前記パネル部の主面と面方向が平行に構成された底面部と、前記パネル部の一方の主面及び前記底面部の外周縁を一体に連続する斜面部と、を備えていることを特徴とする請求項２に記載の缶蓋。
【請求項５】
前記斜面部は、前記パネル部の一方の主面側と前記底面部の外周縁側で異なる傾斜角度を有することを特徴とする請求項４に記載の缶蓋。
【請求項６】
前記斜面部は、２つの異なる傾斜角度を有することを特徴とする請求項４に記載の缶蓋。
【請求項７】
前記パネル部であって、且つ、前記タブの下方に設けられた凸部を備えることを特徴とする請求項１に記載の缶蓋。
【請求項８】
前記パネル部に設けられ、前記タブ及び前記スコア線の周囲の一部、並びに、前記開口片内の少なくとも一方に設けられた凸ビードを備えることを特徴とする請求項７に記載の缶蓋。
【請求項９】
前記パネル部は、中央側に他部よりも窪んだセンターパネル部を有し、前記リベット、前記他部、前記第１凹部、前記第２凹部及び前記スコア線は前記センターパネル部に設けられることを特徴とする請求項７に記載の缶蓋。
【発明の詳細な説明】
【技術分野】
【０００１】
本発明は、缶容器の開口部を構成する、ステイオンタブ式の缶蓋に関する。
【背景技術】
【０００２】
従前から、炭酸飲料やアルコール等の飲料等が内容物として収容される容器として、缶容器が用いられている。缶容器は、内容物を吐出する開口部を構成する缶蓋が缶胴に捲き締め加工により一体に組み立てられることで構成される。
【０００３】
このような缶蓋として、パネル部にリベット部を介して固定されたタブを操作することで、パネル部に設けられたスコア線に沿ってパネル部の一部を破断させて開口部を構成する、所謂ステイオンタブ式の缶蓋が知られている。
【０００４】
また、ステイオンタブ式の缶蓋として、タブに指を掛け易くするために、タブの下方に指入れ用凹部を設ける技術も知られている（例えば、特許文献１参照）。また、缶蓋は、缶蓋の外径が小さい場合に、指入れ用凹部の大きさを確保する為に、パネル部の周辺部に形成されている環状溝と指入れ用凹部とを連続する窪みである切欠部が設けられる。
【先行技術文献】
【特許文献】
【０００５】
【特許文献１】実開平６−２５１２８号公報
【発明の概要】
【発明が解決しようとする課題】
【０００６】
上述した缶蓋では、以下の問題があった。即ち、缶容器は、缶容器内の圧力が陰圧として用いられる場合と、陽圧として用いられる場合がある。しかし、上述の缶蓋を陽圧用の缶容器に缶用の蓋として用いた場合、耐圧性が低下する虞がある。また、上述した缶蓋は、内圧によってバックリングが発生した場合に、缶容器の内部側から外側に向かって突出する所謂角出しが指入れ用凹部において発生し、開蓋性を損なう虞がある。
【０００７】
そこで本発明は、耐圧性を確保しつつ、指掛かり性を向上できる、陽圧用の缶容器に用いることが可能な缶蓋を提供することを目的とする。
【課題を解決するための手段】
【０００８】
前記課題を解決し目的を達成するために、本発明の缶蓋は、次のように構成されている。
【０００９】
本発明の一態様として、円板状のパネル部と、前記パネル部の一方の主面に設けられたリベットと、前記パネル部の外周縁に沿って環状に設けられ、前記パネル部の一方の主面から前記パネル部の他方の主面に向かって窪む環状の溝部と、前記リベットに隣接して前記パネル部に設けられたスコア線により構成され、前記スコア線が破断することで開口部を構成する開口片と、前記リベットに固定され、前記開口片上の一部に配置される押し下げ部及び前記押し下げ部と前記リベットを挟んで反対側に設けられた指掛け部を有するタブと、前記パネル部であって、且つ、前記指掛け部の下方に設けられた第１凹部と、前記パネル部であって、且つ、前記溝部及び前記第１凹部との間に設けられ、前記第１凹部よりも幅が狭い第２凹部と、を備える。
【発明の効果】
【００１０】
本発明によれば、耐圧性を確保しつつ、指掛かり性を向上できる、陽圧用の缶容器に用いることが可能な缶蓋を提供することを提供することが可能となる。
【図面の簡単な説明】
【００１１】
【図１】本発明の第１の実施形態に係る缶蓋の構成を示す平面図。
【図２】同缶蓋の構成を示す断面図。
【図３】同缶蓋の要部構成を示す断面図。
【図４】同缶蓋の要部構成を示す断面図。
【図５】本発明の第２の実施形態に係る缶蓋の構成を示す平面図。
【図６】同缶蓋の構成を示す断面図。
【図７】同缶蓋の要部構成を示す断面図。
【発明を実施するための形態】
【００１２】
以下、本発明の第１の実施形態に係る缶蓋１の構成を、図１乃至図４を用いて説明する。  
図１は本発明の第１の実施形態に係る缶蓋１の構成を示す平面図、図２は缶蓋１の構成を図１中ＩＩ−ＩＩ線断面で示す断面図、図３は缶蓋１の第１凹部２３の構成を図１中ＩＩＩ−ＩＩＩ線断面で示す断面図、図４は第１凹部２３の構成を図１中ＩＶ−ＩＶ線断面で示す断面図である。
【００１３】
缶蓋１は、炭酸飲料やアルコール等の飲料等が内容物として収容される、内部が陽圧となる陽圧用の缶容器の、当該内容物を缶容器内から外部に排出するための開口部を構成する部材である。缶蓋１は、缶容器の缶胴に、捲き締め加工により一体に組み立てられる。
【００１４】
図１及び図２に示すように、缶蓋１は、パネル部１１と、パネル部１１の外周縁に設けられた環状の溝部１２と、環状の溝部１２の外周縁に設けられたフランジ部１３と、パネル部１１に設けられ、使用者の指を掛ける指掛け部１４ａを有するタブ１４と、を備えている。缶蓋１は、パネル部１１、溝部１２及びフランジ部１３がプレス加工により一体に成形され、その後、タブ１４がパネル部１１に固着されることで構成される。
【００１５】
図１乃至図４に示すように、パネル部１１は、円板状に構成される。パネル部１１は、一方の主面に設けられたリベット２１と、リベット２１に隣接して設けられたスコア線２２と、リベット２１を挟んでスコア線２２と反対側に設けられた第１凹部２３と、溝部１２と第１凹部２３の間に設けられた第２凹部２４と、凸ビード２５と、タブ１４の下方に設けられた凸部２６と、を備えている。
【００１６】
リベット２１は、パネル部１１の一方の主面、換言すると、缶容器の缶胴に設けられたときに外面側に位置するパネル部１１の主面に設けられる。リベット２１は、パネル部１１の略中央に、パネル部１１の一方の主面から突出する円柱状に構成される。リベット２１は、パネル部１１の中心が円筒状に押出成形されることで設けられる。また、リベット２１は、タブ１４を配置後に潰されることで、タブ１４をパネル部１１に固着可能に構成される。
【００１７】
スコア線２２は、破断することで、缶蓋１の開口部をパネル部１１に成すための開口片２７を構成する。スコア線２２は、リベット２１の近傍からパネル部１１の外周縁部近傍に渡って略楕円形状に設けられる。
【００１８】
スコア線２２は、外力によりパネル部１１の一部が破断するときに、開口部の形状の開口片２７の形状でパネル部１１を破断させる脆弱部を構成する。スコア線２２は、開口片２７が他のパネル部１１と一部で連続するように、開口片２７の外周縁の形状でパネル部１１上に設けられた溝である。
【００１９】
スコア線２２は、リベット２１近傍を始端として楕円形状にパネル部１１の外周縁近傍を迂回しつつ、始端の近傍を終端とするように形成されている。スコア線２２は、主スコア線２２ａと、当該主スコア線２２ａに隣接して開口片２７側に設けられ、主スコア線２２ａと略平行に構成された副スコア線２２ｂと、を有している。副スコア線２２ｂは、主スコア線２２ａよりも浅い溝により構成されており、副スコア線２２ｂが設けられたパネル部１１の残厚は、主スコア線２２ａが設けられたパネル部１１の残厚よりも厚く構成される。
【００２０】
ここで、パネル部１１の残厚とは、パネル部１１のスコア線２２により溝が設けられていない厚みをいう。即ち、スコア線２２は、主スコア線２２ａの溝が副スコア線２２ｂの溝よりも深く構成されることで、外力が印加されたときに、主スコア線２２ａが破断し、且つ、副スコア線２２ｂが破断しないように構成されている。
【００２１】
換言すると、開口片２７は、スコア線２２により区画されたパネル部１１の領域であって、スコア線２２が破断することで、パネル部１１の当該領域に開口部を構成する。開口片２７は、スコア線２２を介してパネル部１１と一体に連続するとともに、開口片２７上に外力が印加されることで、一部を除きスコア線２２に沿ってパネル部１１から離間し、缶蓋１の開口部をパネル部１１に構成する。
【００２２】
第１凹部２３は、パネル部１１に設けられた窪みである。第１凹部２３は、パネル部１１の一方の主面であって、且つ、タブ１４の指掛け部１４ａの下方に設けられる。第１凹部２３は、指掛け部１４ａとパネル部１１との間に、指入れ用の空間を構成する。
【００２３】
第１凹部２３は、パネル部１１の主面と面方向が平行に構成された平坦状の底面部２３ａと、パネル部１１の一方の主面及び底面部２３ａの外周縁を一体に連続する斜面部２３ｂと、を備えている。斜面部２３ｂは、パネル部１１の一方の主面側と底面部２３ａの外周縁側で異なる傾斜角度を有する。
【００２４】
図４に示すように、例えば、斜面部２３ｂは、２つの異なる傾斜角度θ１、θ２を有しており、パネル部１１の主面側の傾斜角度θ１が底面部２３ａ側の傾斜角度θ２よりも大きく構成される。ここで、傾斜角度θ１、θ２とは、底面部２３ａの延長上から斜面部２３ｂの背面側の傾斜面を通って斜面部２３ｂの傾斜面の外面までの角度である。背面側の傾斜面とは、前記パネル部１１の他方の主面側、換言すると、缶容器に缶蓋１が設けられたときに缶容器内部に位置する傾斜面である。
【００２５】
第１凹部２３のパネル部１１の一方の主面からの深さは、第２凹部２４のパネル部１１の一方の主面からの深さよりも深く構成されている。ここで、第１凹部２３の深さとは、パネル部１１の一方の主面の表面から第１凹部２３の最も深い部位までの距離である。
【００２６】
第２凹部２４は、パネル部１１に設けられた窪みである。第２凹部２４は、パネル部１１の一方の主面に設けられ、パネル部１１の第１凹部２３と溝部１２との間に設けられる。換言すると、第２凹部２４は、第１凹部２３と溝部１２とを連続する切欠部である第２凹部２４は、パネル部１１の主面と面方向が平行に構成された平坦状の底面部２４ａと、パネル部１１の一方の主面及び底面部２４ａの外周縁を一体に連続する斜面部２４ｂと、を備えている。斜面部２４ｂは、１つの傾斜角度により構成される。
【００２７】
第２凹部２４の幅は、第１凹部２３の幅よりも狭く構成されている。例えば、第２凹部２４は、溝部１２から第１凹部２３に向かって、幅が漸次減少する。ここで、第１凹部２３及び第２凹部２４の幅とは、リベット２１、第１凹部２３及び第２凹部２４の中心を通る軸線上に対して直交する方向の第１凹部２３及び第２凹部２４の幅である。
【００２８】
凸ビード２５は、パネル部１１の一方の主面から突出して設けられる。凸ビード２５は、単数又は複数設けられる。例えば、凸ビード２５は、タブ１４及びスコア線２２の周囲の一部、並びに、前記開口片２７内に設けられる。
【００２９】
凸部２６は、パネル部１１の一方の主面から突出して設けられた突起である。凸部２６は、例えば、２つ設けられる。凸部２６は、パネル部１１であって、且つ、タブ１４の下方に設けられ、タブ１４のパネル部１１と対向する面と干渉可能に構成されている。換言すると、凸部２６は、タブ１４と干渉することで、タブ１４をパネル部１１から離間させた状態でタブ１４を支持し、常時タブ１４をパネル部１１から離間する方向に付勢する突起である。なお、凸部２６は、タブ１４の後述する押し下げ部１４ｂが開口片２７を押圧しない高さでタブ１４を支持可能に構成される。
【００３０】
溝部１２のパネル部１１の一方の主面（表面）からの深さは、第１凹部２３及び第２凹部２４のパネル部１１の一方の主面からの深さよりも深く構成される。
【００３１】
フランジ部１３は、缶容器の缶胴と捲き締めされることで、缶胴と一体に構成される。フランジ部１３は、缶胴と当接する面に、シール用の樹脂層が設けられる。
【００３２】
タブ１４は、一方側に設けられた指掛け部１４ａと、リベット２１を介して他方側に設けられた押し下げ部１４ｂと、リベット２１に固定される基部１４ｃと、を備えている。指掛け部１４ａは、基部１４ｃからの距離が、基部１４ｃから押し下げ部１４ｂまでの距離よりも長く構成されている。
【００３３】
指掛け部１４ａは、その端部が第１凹部２３上に配置される。また、指掛け部１４ａの端部は、パネル部１１の主面から離間する方向に湾曲して突出する。押し下げ部１４ｂは、リベット２１側の開口片２７上に配置され、指掛け部１４ａをパネル部１１から離間する方向に持ち上げ操作されたときに、開口片２７を押圧し、スコア線２２を破断可能に構成される。
【００３４】
このように構成された缶容器に用いられる缶蓋１によれば、第２凹部２４の幅が第１凹部２３の幅よりも狭く構成することで、第２凹部２４によりタブ１４の指掛け部１４ａの下方へ指を入れる指入れ性を向上させることが可能となる。また、缶蓋１は、第１凹部２３の幅が相対的に広いことにより、第２凹部２４の形成による強度の低下も抑制できる。
【００３５】
また、缶蓋１は、溝部１２の深さを第１凹部２３及び第２凹部２４の深さよりも深く構成し、且つ、第１凹部２３の深さを第２凹部２４の深さよりも深く構成することで、強度を維持した状態で、タブ１４の指掛け部１４ａの下側への指入れ性を向上することが可能となる。
【００３６】
特に、缶容器に用いられる缶蓋１は、缶容器の径が、即ちパネル部１１の径が小さくなった場合であっても、用いられるタブ１４の形状は、同程度の大きさのものが用いられるため、タブ１４の指掛け部１４ａから溝部１２迄の距離が短くなる。しかし、缶蓋１によれば、指入れ用の凹部である第１凹部２３と溝部１２との間に、第２凹部２４を設け、第２凹部２４から第１凹部２３まで漸次深さを深くすることで、パネル部１１の径が小さい缶容器であっても、指を指掛け部１４ａに掛けやすくなる。
【００３７】
また、缶蓋１は、上述したように第１凹部２３及び第２凹部２４により、指掛け部１４ａ近傍の強度を維持するとともに、凸ビード２５によりパネル部１１の強度が向上する。これにより、缶蓋１は、陽圧用の缶容器に用いても、所謂バックリングと呼ばれる、内圧が高いことによるパネル部１１の表面が突出する変形が生じることを抑制できる。また、仮にパネル部１１にバックリングによる変形が生じても、当該バックリングが生じる場所を、パネル部１１の第１凹部２３の幅方向に位置する部位とすることが可能となり、缶蓋１は、指掛け部１４ａへの指入れ性を維持可能となる。また、当該部位においてバックリングを生じさせることで、バックリングによるパネル部１１の突出方向への変形により、タブ１４が押し上げられてスコア線２２が破断することを防止できる。
【００３８】
さらに、第１凹部２３の斜面部２３ｂは、パネル部１１の一方の主面側と底面部２３ａの外周縁側で異なる傾斜角度を有するように形成することにより、斜面部２３ｂの強度を向上することができる。換言すると、斜面部２３ｂは、複数の傾斜角度を有するように屈曲していることで、斜面部２３ｂを１つの傾斜角度の斜面で形成した場合に比べて、斜面部２３ｂの強度を向上することができる。これにより、第２凹部２４を形成することによる強度の低下を十分に抑制することができ、缶蓋１の強度を維持することができる。
【００３９】
また、斜面部２３ｂのパネル部１１の主面側の傾斜角度θ１が底面部２３ａ側の傾斜角度θ２よりも大きく構成されることにより、第１凹部２３の容積を大きくすることができることから、缶蓋１は、指入れ性を向上することができる。
【００４０】
上述したように本発明の第１の実施形態に係る缶蓋１によれば、陽圧用の缶容器に用いることが可能な耐圧性を確保しつつ、指掛かり性を向上することが可能となる。
【００４１】
次に、本発明の第２の実施形態に係る缶蓋１Ａの構成を図５乃至図７を用いて説明する。図５は本発明の第２の実施形態に係る缶蓋１Ａの構成を示す平面図、図６は缶蓋１の構成を図５中ＶＩ−ＶＩ線断面で示す断面図、図７は缶蓋１の第１凹部２３の構成を図１中ＶＩＩ−ＶＩＩ線断面出示す断面図である。なお、第２の実施形態に係る缶蓋１Ａの構成中、第１の実施形態に係る缶蓋１Ａと同様の構成には同一符号を付し、その詳細な説明は省略する。
【００４２】
缶蓋１Ａは、炭酸飲料やアルコール等の飲料等が内容物として収容される、内部が陽圧となる陽圧用の缶容器の、当該内容物を缶容器内から外部に排出するための開口部を構成する部材である。缶蓋１Ａは、缶容器の缶胴に、捲き締め加工により一体に組み立てられる。
【００４３】
図５及び図６に示すように、缶蓋１は、パネル部１１Ａと、パネル部１１Ａの外周縁に設けられた環状の溝部１２と、環状の溝部１２の外周縁に設けられたフランジ部１３と、パネル部１１Ａに設けられたタブ１４と、を備えている。
【００４４】
図５乃至図７に示すように、パネル部１１Ａは、円板状に構成される。パネル部１１Ａは、その中央側に他部よりも窪む平坦状のセンターパネル部５１と、リベット２１と、スコア線２２と、第１凹部２３と、第２凹部２４と、凸ビード２５Ａと、タブ１４の下方に設けられた凸部２６と、を備えている。
【００４５】
センターパネル部５１は、平坦状に構成されるとともに、傾斜面によりパネル部１１の他部と連続する。センターパネル部５１に、リベット２１、スコア線２２（開口片２７）、第１凹部２３、第２凹部２４、凸ビード２５Ａ及び凸部２６が設けられる。
【００４６】
センターパネル部５１の深さは、溝部１２の深さよりも浅く構成される。また、センターパネル部５１に設けられた第１凹部２３及び第２凹部２４の深さは、溝部１２の深さよりも浅く構成される。
【００４７】
凸ビード２５Ａは、パネル部１１の一方の主面から突出して設けられる。凸ビード２５Ａは、単数が、開口片２７内に設けられる。
【００４８】
溝部１２は、その下端が第１凹部２３及び第２凹部２４の底面部２３ａ、２４ａよりもパネル部１１（センターパネル部５１）に対して缶胴側、換言すると、缶容器を立設した状態で低位置に配置される。
【００４９】
このように構成された缶容器に用いられる缶蓋１Ａは、上述した缶蓋１のタブ１４及びスコア線２２の周囲に設けられる凸ビード２５に変えて、センターパネル部５１が設けられる構成である。
【００５０】
このように構成された缶蓋１Ａは、上述した缶蓋１と同様に、陽圧用の缶容器に用いることが可能な耐圧性を確保しつつ、指掛かり性を向上することが可能となる。
【００５１】
なお、本発明は前述の実施形態に限定されるものではない。上述した例では、缶蓋１は、凸ビード２５を有する構成を説明したがこれに限定されず、パネル部１１に凸ビード２５を有さない構成としてもよい。また、上述した例では、溝部１２及び第１凹部２３の間に設けられる第２凹部２４は、溝部１２から第１凹部２３に向かって幅が漸次減少する窪みである構成を説明したがこれに限定されない。第２凹部２４は、幅が一定に構成されていてもよい。この他、本発明の要旨を逸脱しない範囲で種々変形実施可能である。
【符号の説明】
【００５２】
１、１Ａ…缶蓋、１１、１１Ａ…パネル部、１２…溝部、１３…フランジ部、１４…タブ、１４ａ…指掛け部、１４ｂ…押し下げ部、１４ｃ…基部、２１…リベット、２２…スコア線、２２ａ…主スコア線、２２ｂ…副スコア線、２３…第１凹部、２３ａ…底面部、２３ｂ…斜面部、２４…第２凹部、２４ａ…底面部、２４ｂ…斜面部、２５、２５Ａ…凸ビード、２６…凸部、２７…開口片、５１…センターパネル部。
【図１】
2017137078.tif 000003
【図２】
2017137078.tif 000004
【図３】
2017137078.tif 000005
【図４】
2017137078.tif 000006
【図５】
2017137078.tif 000007
【図６】
2017137078.tif 000008
【図７】
2017137078.tif 000009